(57)【要約】【課題】個人の申告を基にして、訪問員に詳しく観察すべき事項を指示でき、個人が把握していない身体機能の低下を検出することができる健康管理システムを提供する。【解決手段】健康管理システム１は、個人６が操作する個人端末２と、個人６を訪問する訪問員７が操作する訪問員端末３と、個人端末２および訪問員端末３がネットワーク５を介して接続されたサーバ４とを含む。個人端末２は、個人６の生体情報を取得する生体情報取得部と、ゲームを実施するゲーム実施部と、ゲーム結果に基づくゲーム結果情報を取得するゲーム結果取得部とを備えている。サーバ４は、生体情報およびゲーム結果情報に基づいて、個人６の観察項目を訪問員７に指示する観察指示部を備えている。訪問員端末３は、訪問員７によって観察された個人６の客観情報を取得する客観情報取得部を備えている。【選択図】図１
2015172820.tif 000002
【特許請求の範囲】
【請求項１】
個人が操作する個人端末と、前記個人を訪問する訪問員が操作する訪問員端末と、前記個人端末および前記訪問員端末がネットワークを介して接続されたサーバとを含む健康管理システムであって、
前記個人端末は、前記個人の入力に基づいて、前記個人の生体状態を示す生体情報を取得する生体情報取得部と、
前記個人に操作させるゲームを実施するゲーム実施部と、
前記ゲーム実施部のゲーム結果に基づくゲーム結果情報を取得するゲーム結果取得部とを備え、
前記サーバは、前記個人端末から送信された前記生体情報および前記ゲーム結果情報に基づいて、前記個人の観察項目を前記訪問員に指示する観察指示部を備え、
前記訪問員端末は、前記訪問員の入力に基づいて、該訪問員によって観察された前記個人の客観状態を示す客観情報を取得する客観情報取得部を備えること
を特徴とする健康管理システム。
【請求項２】
請求項１に記載の健康管理システムであって、
前記サーバは、受信した前記生体情報、前記ゲーム結果情報、および前記客観情報を履歴情報として記憶する情報記憶部を備え、
前記観察指示部は、前記情報記憶部に記憶された履歴情報に基づいて、前記個人の生体状態および客観状態の変化を検出すること
を特徴とする健康管理システム。
【請求項３】
請求項１または請求項２に記載の健康管理システムであって、
前記個人端末は、操作された履歴を操作履歴情報として蓄積する操作履歴蓄積部を備え、
前記操作履歴蓄積部は、予め設定された送信時間を経過した場合、前記サーバに前記操作履歴情報を送信すること
を特徴とする健康管理システム。
【請求項４】
請求項３に記載の健康管理システムであって、
前記観察指示部は、前記操作履歴情報に基づいて、前記個人が前記個人端末を操作してから経過した時間が予め設定された規定時間を超えた場合、前記個人の生体状態が変化したと判断すること
を特徴とする健康管理システム。
【請求項５】
請求項１から請求項４までのいずれかに記載の健康管理システムであって、
前記ゲーム実施部は、前記個人の身体機能を測定するゲームを実施すること
を特徴とする健康管理システム。
【請求項６】
請求項１から請求項５までのいずれかに記載の健康管理システムであって、
前記個人端末は、該個人端末が存在する位置を個人位置情報として取得する個人位置取得部を備え、
前記訪問員端末は、該訪問員端末が存在する位置を訪問員位置情報として取得する訪問員位置取得部を備え、
前記サーバは、前記個人位置情報および前記訪問員位置情報を受信した際に、前記個人端末および前記訪問員端末の位置が一致した場合、前記訪問員が前記個人を訪問したと判断すること
を特徴とする健康管理システム。
【請求項７】
請求項６に記載の健康管理システムであって、
前記個人端末および前記訪問員端末を複数備える構成とされ、
前記個人端末は、前記訪問員の訪問を要求する訪問要求通知を受け付ける訪問要求受付部を備え、
前記サーバは、前記個人端末から前記訪問要求通知を受信した際、該個人端末に最も近い位置に存在する訪問員端末に対して、訪問を指示する訪問指示通知を送信する訪問指示部を備えること
を特徴とする健康管理システム。
【請求項８】
請求項１から請求項５までのいずれかに記載の健康管理システムであって、
前記個人端末および前記訪問員端末は、同一の端末で構成され、
前記個人端末は、操作するユーザが前記個人または前記訪問員のいずれであるかを識別するユーザ識別部を備えており、
前記ユーザ識別部は、操作するユーザが前記訪問員であると識別した場合、前記個人端末を前記訪問員端末として動作させること
を特徴とする健康管理システム。
【請求項９】
個人が操作する個人端末と、前記個人を訪問する訪問員が操作する訪問員端末と、前記個人端末および前記訪問員端末がネットワークを介して接続されたサーバとを含む健康管理システムの健康管理方法であって、
前記個人端末に、前記個人の入力に基づいて、前記個人の生体状態を示す生体情報を取得させる生体情報取得ステップと、
前記個人に操作させるゲームを実施させるゲーム実施ステップと、
前記ゲーム実施ステップのゲーム結果に基づくゲーム結果情報を取得させるゲーム結果取得ステップとを実行させ、
前記サーバに、前記個人端末から送信された前記生体情報および前記ゲーム結果情報に基づいて、前記個人の観察項目を前記訪問員に指示させる観察指示ステップを実行させ、
前記訪問員端末に、前記訪問員の入力に基づいて、該訪問員によって観察された前記個人の客観状態を示す客観情報を取得させる客観情報取得ステップを実行させること
を特徴とする健康管理方法。
【請求項１０】
請求項９に記載の健康管理システムの健康管理方法の前記各ステップをコンピュータに実行させるための健康管理システムの健康管理プログラム。
【発明の詳細な説明】
【技術分野】
【０００１】
本発明は、個人端末および訪問員端末がネットワークを介してサーバに接続された健康管理システム、健康管理方法、および健康管理プログラムに関する。
【背景技術】
【０００２】
近年、在宅医療など、個人に応じて多様な治療方法が選択されるようになってきており、ネットワークを用いて個人を支援するシステムが開発されている（例えば、特許文献１および特許文献２参照。）。
【０００３】
特許文献１に記載の高齢者情報管理システムは、高齢者を障害者が見守る情報管理システムであって、高齢者側に設置される高齢者端末と、障害者側に設置される障害者端末とが通信ネットワークを介して管理サーバに接続されている。高齢者は、体温などのバイタルサインを測定し、障害者は、高齢者端末と通話を行うための通話手段によって、高齢者からバイタルサインや生活に関することをヒアリングする。
【０００４】
特許文献２に記載の在宅医療適応患者の診察・指導支援システムは、ネットワークを用いて、在宅医療を受ける患者に対する医師および指導員の診察・指導を支援するシステムである。サーバは、患者宅に設置された在宅医療機器と、患者宅を訪問する指導員用の指導員端末とから送信される在宅医療情報を格納している。
【先行技術文献】
【特許文献】
【０００５】
【特許文献１】特開２０１０−２４４０９１号公報
【特許文献２】特開２００３−１１６７９６号公報
【発明の概要】
【発明が解決しようとする課題】
【０００６】
特許文献１では、障害者がテレビ電話等を介して、バイタルサイン等を高齢者に直接面会せずに話を聞いている。そして、管理サーバでは、バイタルサインを平常時の情報と比較するだけであって、比較した結果をヒアリングに反映させていない。そのため、高齢者が認識していない異常については、詳しく聞き取ることができないという課題がある。つまり、僅かな体調の変化などは、日常生活では実感しづらいため、高齢者自身が認識していない場合があり、病気の初期症状を見逃している虞がある。
【０００７】
特許文献２でも、特許文献１と同様に、指導員は、在宅医療機器の使用状況などを聞き取るだけであって、測定結果を患者の観察に反映させておらず、測定結果に基づいて、詳しく聞き取ることができないという課題がある。
【０００８】
本発明は、上記の課題を解決するためになされたものであり、個人の申告を基にして、訪問員に詳しく観察すべき事項を指示でき、個人が把握していない身体機能の低下を検出することができる健康管理システム、健康管理方法、および健康管理プログラムを提供することを目的とする。
【課題を解決するための手段】
【０００９】
本発明に係る健康管理システムは、個人が操作する個人端末と、前記個人を訪問する訪問員が操作する訪問員端末と、前記個人端末および前記訪問員端末がネットワークを介して接続されたサーバとを含む健康管理システムであって、前記個人端末は、前記個人の入力に基づいて、前記個人の生体状態を示す生体情報を取得する生体情報取得部と、前記個人に操作させるゲームを実施するゲーム実施部と、前記ゲーム実施部のゲーム結果に基づくゲーム結果情報を取得するゲーム結果取得部とを備え、前記サーバは、前記個人端末から送信された前記生体情報および前記ゲーム結果情報に基づいて、前記個人の観察項目を前記訪問員に指示する観察指示部を備え、前記訪問員端末は、前記訪問員の入力に基づいて、該訪問員によって観察された前記個人の客観状態を示す客観情報を取得する客観情報取得部を備えることを特徴とする。
【００１０】
本発明に係る健康管理システムでは、前記サーバは、受信した前記生体情報、前記ゲーム結果情報、および前記客観情報を履歴情報として記憶する情報記憶部を備え、前記観察指示部は、前記情報記憶部に記憶された履歴情報に基づいて、前記個人の生体状態および客観状態の変化を検出する構成としてもよい。
【００１１】
本発明に係る健康管理システムでは、前記個人端末は、操作された履歴を操作履歴情報として蓄積する操作履歴蓄積部を備え、前記操作履歴蓄積部は、予め設定された送信時間を経過した場合、前記サーバに前記操作履歴情報を送信する構成としてもよい。
【００１２】
本発明に係る健康管理システムでは、前記観察指示部は、前記操作履歴情報に基づいて、前記個人が前記個人端末を操作してから経過した時間が予め設定された規定時間を超えた場合、前記個人の生体状態が変化したと判断する構成としてもよい。
【００１３】
本発明に係る健康管理システムでは、前記ゲーム実施部は、前記個人の身体機能を測定するゲームを実施する構成としてもよい。
【００１４】
本発明に係る健康管理システムでは、前記個人端末は、該個人端末が存在する位置を個人位置情報として取得する個人位置取得部を備え、前記訪問員端末は、該訪問員端末が存在する位置を訪問員位置情報として取得する訪問員位置取得部を備え、前記サーバは、前記個人位置情報および前記訪問員位置情報を受信した際に、前記個人端末および前記訪問員端末の位置が一致した場合、前記訪問員が前記個人を訪問したと判断する構成としてもよい。
【００１５】
本発明に係る健康管理システムでは、前記個人端末および前記訪問員端末を複数備える構成とされ、前記個人端末は、前記訪問員の訪問を要求する訪問要求通知を受け付ける訪問要求受付部を備え、前記サーバは、前記個人端末から前記訪問要求通知を受信した際、該個人端末に最も近い位置に存在する訪問員端末に対して、訪問を指示する訪問指示通知を送信する訪問指示部を備える構成としてもよい。
【００１６】
本発明に係る健康管理システムでは、前記個人端末および前記訪問員端末は、同一の端末で構成され、前記個人端末は、操作するユーザが前記個人または前記訪問員のいずれであるかを識別するユーザ識別部を備えており、前記ユーザ識別部は、操作するユーザが前記訪問員であると識別した場合、前記個人端末を前記訪問員端末として動作させる構成としてもよい。
【００１７】
本発明に係る健康管理システムの健康管理方法は、個人が操作する個人端末と、前記個人を訪問する訪問員が操作する訪問員端末と、前記個人端末および前記訪問員端末がネットワークを介して接続されたサーバとを含む健康管理システムの健康管理方法であって、前記個人端末に、前記個人の入力に基づいて、前記個人の生体状態を示す生体情報を取得させる生体情報取得ステップと、前記個人に操作させるゲームを実施させるゲーム実施ステップと、前記ゲーム実施ステップのゲーム結果に基づくゲーム結果情報を取得させるゲーム結果取得ステップとを実行させ、前記サーバに、前記個人端末から送信された前記生体情報および前記ゲーム結果情報に基づいて、前記個人の観察項目を前記訪問員に指示させる観察指示ステップを実行させ、前記訪問員端末に、前記訪問員の入力に基づいて、該訪問員によって観察された前記個人の客観状態を示す客観情報を取得させる客観情報取得ステップを実行させることを特徴とする。
【００１８】
本発明に係る健康管理システムの健康管理プログラムは、本発明に係る健康管理方法の前記各ステップをコンピュータに実行させることを特徴とする。
【発明の効果】
【００１９】
本発明によると、個人の申告を基にして、訪問員に詳しく観察すべき事項を指示できるので、個人には判断が難しい僅かな体調の変化を早期に検出することができる。また、個人にゲームの操作をさせることで、一般的な測定とは異なり、個人が把握していない身体機能の低下を検出することができる。
【図面の簡単な説明】
【００２０】
【図１】本発明の第１実施形態に係る健康管理システムの概略構成図である。
【図２】本発明の第１実施形態における個人端末の構成図である。
【図３】本発明の第１実施形態における訪問員端末の構成図である。
【図４】本発明の第１実施形態におけるサーバの構成図である。
【図５】ゲーム画面を表示した個人端末を示す外観図である。
【図６】本発明の第１実施形態に係る健康管理システムにおける観察フローを示すフロー図である。
【図７】本発明の第１実施形態に係る健康管理システムにおける履歴監視フローを示すフロー図である。
【図８】本発明の第２実施形態に係る健康管理システムにおける訪問要求フローを示すフロー図である。
【図９】本発明の第３実施形態に係る健康管理システムの概略構成図である。
【図１０】本発明の第３実施形態における個人端末および訪問員端末の構成図である。
【発明を実施するための形態】
【００２１】
（第１実施形態）
以下、本発明の第１実施形態に係る健康管理システムについて、図面を参照して説明する。
【００２２】
図１は、本発明の第１実施形態に係る健康管理システムの概略構成図である。
【００２３】
本発明の実施の形態に係る健康管理システム１は、個人６が操作する個人端末２と、個人６を訪問する訪問員７が操作する訪問員端末３と、個人端末２および訪問員端末３がネットワーク５を介して接続されたサーバ４とを含む構成とされている。具体的には、個人６は、例えば、在宅患者や高齢者などであって、体重や血圧などの測定データや体調を個人端末２からサーバ４に送信する。訪問員７は、定期的に個人６を訪問し、個人６を客観的に観察した結果を訪問員端末３からサーバ４に報告する。
【００２４】
次に、個人端末２、訪問員端末３、およびサーバ４の具体的な構成について、説明する。
【００２５】
図２は、本発明の第１実施形態における個人端末の構成図である。
【００２６】
個人端末２は、本実施の形態では、タブレット型端末とされているが、これに限定されず、例えば、パーソナルコンピュータ、スマートフォン、および携帯電話端末などが挙げられる。具体的には、個人端末２は、表示部２１、入力部２２、通信部２３、記憶領域２４、およびＣＰＵ２５を備えている。
【００２７】
表示部２１は、画像を表示する液晶ディスプレイであって、ユーザの指やペンなどが接した位置を検知して入力を受け付けるタッチパネルである。つまり、本実施の形態では、入力部２２は、表示部２１と一体に形成されている。なお、表示部２１とは別に、ボタンやキーボードなどで形成された入力部２２を設けた構成としてもよい。通信部２３は、ネットワーク５に接続されている。記憶領域２４は、入力された測定データなどを記憶する。ＣＰＵ２５は、生体情報取得部２５ａ、ゲーム実施部２５ｂ、ゲーム結果取得部２５ｃ、操作履歴蓄積部２５ｄ、個人位置取得部２５ｅ、および訪問要求受付部２５ｆを予め組み込まれたプログラムとして記憶しており、記憶したプログラムを実行することにより、後述する処理を実行する。
【００２８】
なお、通信部２３は、訪問員端末３を介してネットワーク５に接続されていてもよい。つまり、個人端末２は、入力された測定データ等を蓄積しておき、訪問員７が個人６を訪問した際に、サーバ４に測定データ等を送信する。
【００２９】
生体情報取得部２５ａは、個人６の入力に基づいて、個人６の生体状態を示す生体情報を取得する。生体状態とは、例えば、体重、体温、および血圧などの測定データや、予め設定された質問に対する回答などである。ここでの質問とは、例えば、「体調はどうですか」や「食欲はありますか」などのように、個人６の健康に関することである。
【００３０】
ゲーム実施部２５ｂは、個人６に操作させるゲームを実施する。ゲーム結果取得部２５ｃは、ゲーム実施部２５ｂのゲーム結果に基づくゲーム結果情報を取得する。つまり、本発明では、ゲームに対する操作内容によって、個人６の身体機能を把握する。なお、ゲーム実施部２５ｂが実施するゲームの内容については、後述する図５を参照して、詳細に説明する。
【００３１】
操作履歴蓄積部２５ｄは、操作された履歴を操作履歴情報として蓄積する。ここでの操作とは、測定データの入力やゲームの実施などを含み、個人６によって個人端末２が操作された際、操作された内容と時刻とを関連付けて記憶する。そして、操作履歴蓄積部２５ｄは、操作履歴を蓄積した際に、新たな操作履歴情報をサーバ４に送信する。また、操作履歴蓄積部２５ｄは、操作履歴情報を送信してから、予め設定された送信時間を経過した場合、サーバ４に操作履歴情報を送信する。つまり、送信時間を経過しても個人端末２が操作されなかった際に、操作履歴情報を送信することで、サーバ４は、個人端末２が長時間に亘って操作されていないことを把握できる。
【００３２】
個人位置取得部２５ｅは、個人端末２が存在する位置を個人位置情報として取得する。個人位置取得部２５ｅは、例えば、ＧＰＳなどを用いて定期的に位置を把握し、サーバ４に個人位置情報を送信する。なお、個人位置情報を送信するタイミングとしては、個人端末２が通信可能な状態である場合、個人位置情報を取得した時とすればよく、また、位置が変化した際に送信してもよい。
【００３３】
訪問要求受付部２５ｆは、訪問員７の訪問を要求する訪問要求通知を受け付ける。ここでは、定期的な訪問とは別にして、突発的な訪問を要求する場合が想定されている。つまり、体調が急変するなどして、急遽、訪問員７の観察を必要とする場合に、訪問員７に連絡することを目的として設けられている。
【００３４】
図３は、本発明の第１実施形態における訪問員端末の構成図である。
【００３５】
訪問員端末３は、個人端末２と略同様の構成とされており、本実施の形態では、タブレット型端末とされており、訪問員７が所持して移動できるように、携帯できることが望ましい。具体的には、訪問員端末３は、表示部３１、入力部３２、通信部３３、記憶領域３４、およびＣＰＵ３５を備えている。なお、表示部３１、入力部３２、通信部３３、および記憶領域３４については、個人端末２の表示部２１、入力部２２、通信部２３、および記憶領域２４と略同様であるので、説明を省略する。
【００３６】
ＣＰＵ３５は、客観情報取得部３５ａおよび訪問員位置取得部３５ｂを予め組み込まれたプログラムとして記憶しており、記憶したプログラムを実行することにより、後述する処理を実行する。
【００３７】
客観情報取得部３５ａは、訪問員７の入力に基づいて、訪問員７によって観察された個人６の客観状態を示す客観情報を取得する。客観状態とは、例えば、個人６の顔色や生活環境などについて予め設定された質問に対する回答である。つまり、訪問員７は、訪問員端末３に表示された質問に基づいて、個人６を観察したりヒアリングして、回答を入力する。なお、個人６の観察項目については、後述するサーバ４の観察指示部４３ａ（図４参照）から指示された内容に基づいて決定される。
【００３８】
訪問員位置取得部３５ｂは、個人位置取得部２５ｅと略同様の機能であって、訪問員端末３が存在する位置を個人位置情報として取得する。訪問員位置取得部３５ｂは、個人端末２と同様にして、サーバ４に訪問位置情報を送信する。
【００３９】
図４は、本発明の第１実施形態におけるサーバの構成図である。
【００４０】
サーバ４は、パーソナルコンピュータであって、通信部４１、記憶領域４２、およびＣＰＵ４３を備えている。なお、通信部４１および記憶領域４２については、個人端末２の通信部２３および記憶領域２４と略同様であるので、説明を省略する。また、上記の構成に限定されず、サーバ４は、ユーザに操作されるための表示部や入力部を備えていてもよい。
【００４１】
ＣＰＵ４３は、観察指示部４３ａ、情報記憶部４３ｂ、および訪問指示部４３ｃを予め組み込まれたプログラムとして記憶しており、記憶したプログラムを実行することにより、後述する処理を実行する。
【００４２】
情報記憶部４３ｂは、受信した生体情報、ゲーム結果情報、および客観情報を履歴情報として記憶する。受信した情報は、受信した日時と関連付けて記憶されている。
【００４３】
観察指示部４３ａは、個人端末２から送信された生体情報およびゲーム結果情報に基づいて、個人６の観察項目を訪問員７に指示する。つまり、個人６から体調の変化が報告されたり、ゲーム結果が規定された範囲から外れたりした場合に、変化した項目に関することを観察するように訪問員７に指示する。具体的には、「血圧が高い」との報告に対して、「塩分を控えた食事をしていますか」といった質問を指示するなど、報告に応じた質問が設定されていればよい。また、観察指示部４３ａは、情報記憶部４３ｂに記憶された履歴情報に基づいて、個人６の生体状態および客観状態の変化を検出する。つまり、生体状態および客観状態について、過去の報告と比較することで、個人６の普段の状態を把握することができ、異なる報告を検出することで、変化したと判断することができる。
【００４４】
訪問指示部４３ｃは、個人端末２から訪問要求通知を受信した際、訪問員端末３に対して、訪問を指示する訪問指示通知を送信する。
【００４５】
図５は、ゲーム画面を表示した個人端末を示す外観図である。
【００４６】
図に示すように、個人端末２は、ゲームを実施中であるゲーム画面を表示している。具体的に、個人端末２は、横方向に幅広な矩形板状のタブレット型端末であって、横方向に幅広な矩形状の表示部２１が設けられている。
【００４７】
表示部２１には、第１画像Ｇ１、第２画像Ｇ２、開始キーＫ１、およびメニューキーＫ２が表示されている。第１画像Ｇ１と第２画像Ｇ２とは、横方向に並べて表示されている（図では、第１画像Ｇ１が左方であり、第２画像Ｇ２が右方である。）。開始キーＫ１は、ゲーム実施部２５ｂにゲームを実施させる指示を受け付ける。メニューキーＫ２は、個人端末２にゲーム以外の機能を実行させる指示を受け付ける。つまり、個人端末２は、メニューキーＫ２が入力されると、測定データの入力や訪問要求通知を受け付ける画面を表示する。
【００４８】
第１画像Ｇ１は、中央に配置されたプレイヤオブジェクトＰＯと、端部（図では、左下）に配置された敵オブジェクトＥＯとを含む。第１画像Ｇ１で実施されるゲームは、具体的には、もぐら叩きであって、ひよこ（プレイヤオブジェクトＰＯ）に到達する前に、もぐら（敵オブジェクトＥＯ）を撃退するゲームである。第１入力部２２ａ（入力部２２の一部）は、第１画像Ｇ１の領域全体に対応しており、ユーザが入力した位置を受け付ける。
【００４９】
第１画像Ｇ１において、敵オブジェクトＥＯは、第１画像Ｇ１内に不規則に表示され、徐々にプレイヤオブジェクトＰＯに近づく。そして、ユーザによって、表示された敵オブジェクトＥＯが叩かれる（敵オブジェクトＥＯの位置が入力される）ことで、敵オブジェクトＥＯは、消去されて、再び端部に表示される。また、ユーザに叩かれることなく、敵オブジェクトＥＯがプレイヤオブジェクトＰＯに到達した場合、ゲームを停止させる。第１画像Ｇ１では、不規則に表示される敵オブジェクトＥＯに対して、ユーザに素早く対応させることで、反射神経を鍛え、眼の機能を向上させることを目的としており、例えば、敵オブジェクトＥＯが表示されてから叩かれるまでの時間を測定している。
【００５０】
第２画像Ｇ２は、端部に配置された第２入力部２２ｂ（入力部２２の一部）と、計算問題を示す問題コメントＣ２とを含む。第２画像Ｇ２で実施されるゲームは、具体的には、計算ゲームであって、問題コメントＣ２として表示された計算問題の解答を入力するゲームである。第２入力部２２ｂは、複数のキーで構成されており、数値や演算記号の入力を受け付ける。
【００５１】
第２画像Ｇ２において、問題コメントＣ２には計算問題が表示され、第２入力部２２ｂを用いて、ユーザによって解答が入力されると、新たな計算問題を表示する。予め設定された数（本実施の形態では、１０問）の計算問題を解くと、ゲームを終了する。第２画像Ｇ２では、表示された問題に対して、ユーザに解答を考えさせることで、前頭葉活性化を促し、脳の機能を向上させることを目的としており、例えば、問題の正答数を測定している。
【００５２】
本発明では、個人６のゲームに対する操作に基づいて、個人６の身体能力を把握することを目的としており、ゲーム実施部２５ｂは、個人６の身体機能を測定するゲームを実施している。そのため、どのようなゲームを実施するかは適宜選択することができる。つまり、個人６の身体機能を調べることで、生体状態を詳しく把握することができる。
【００５３】
次に、健康管理システム１における健康管理方法の処理フローについて、それぞれ図面を参照して説明する。
【００５４】
図６は、本発明の第１実施形態に係る健康管理システムにおける観察フローを示すフロー図である。
【００５５】
図に示す観察フローでは、個人６と訪問員７とからの報告に基づいて、個人６の健康を管理する。
【００５６】
ステップＳ０１では、個人端末２から送信された生体情報およびゲーム結果情報をサーバ４が受信する。なお、生体情報およびゲーム結果情報のうちいずれか一方だけが送信されても構わない。つまり、個人６の体調を把握するためには、継続して生体状態を調べておくことが望ましいが、必ずしも測定できるわけではない。このような状況を考慮して、生体情報およびゲーム結果情報のうちいずれか一方を受信した場合であっても、個人６の生体状態の変化を検出する処理としている。
【００５７】
ステップＳ０２では、観察指示部４３ａによって、個人６の生体状態が変化したかどうかが判断される。ここでは、履歴情報と比較して判断してもよいし、受信した生体情報およびゲーム結果情報のうち異常が報告された事項から判断してもよい。その結果、変化したと判断されない場合には（ステップＳ０２：ＮＯ）、ステップＳ０３へ進む。一方、変化したと判断された場合には（ステップＳ０２：ＹＥＳ）、ステップＳ０４へ進む。
【００５８】
ステップＳ０３では、観察指示部４３ａによって、訪問員端末３に通常の観察項目が指示される。つまり、サーバ４は、個人６の体調の全般を把握するように予め設定された質問を指示する。
【００５９】
ステップＳ０４では、観察指示部４３ａによって、訪問員端末３に変化項目に応じた観察項目が指示される。つまり、サーバ４は、変化したと判断された項目に関して予め設定された質問を指示する。
【００６０】
ステップＳ０５では、訪問員端末３から送信された客観情報をサーバ４が受信する。つまり、訪問員７は、ステップＳ０３またはステップＳ０４で指示された観察項目に応じて個人６に質問し、その回答を客観情報としてサーバ４に送信する。
【００６１】
ステップＳ０６では、サーバ４は、生体状態と客観状態とを比較し、処理を終了する。つまり、ステップＳ０１で受信した生体情報およびゲーム結果情報と、ステップＳ０５で受信した客観情報とを比較することで、個人６が把握していない体調の変化を検出する。
【００６２】
上述した処理では、どのタイミングで訪問員７が個人６を訪問したかを限定していないが、例えば、訪問時に観察項目を指示する処理としてもよい。つまり、ステップＳ０３またはステップＳ０４において、サーバ４は、個人位置情報および訪問員位置情報を受信した際に、個人端末２および訪問員端末３の位置が一致した場合、訪問員が個人を訪問したと判断する構成としてもよい。訪問員７が個人６を訪問したときであれば、最新の情報に基づいて、適切な観察項目を指示することができる。
【００６３】
上述したように、本実施の形態では、個人６の申告を基にして、訪問員７に詳しく観察すべき事項を指示できるので、個人６には判断が難しい僅かな体調の変化を早期に検出することができる。また、個人６にゲームの操作をさせることで、一般的な測定とは異なり、個人６が把握していない身体機能の低下を検出することができる。
【００６４】
また、履歴情報を基に個人６の健康状態の変化を検出することで、個人６の体調の異変を確実に把握することができる。つまり、平常時の個人６の健康状態からの変化を検出することで、詳細に観察すべき項目を把握することができる。
【００６５】
また、端末の位置を確認することで、訪問員７が訪問したことを確実に判断できる。つまり、健康管理システム１では、個人６の判断だけでなく、第三者が客観的に観察することが重要であるので、訪問員７が個人６に直接面会したと確認することが望ましい。
【００６６】
図７は、本発明の第１実施形態に係る健康管理システムにおける履歴監視フローを示すフロー図である。
【００６７】
図に示す履歴監視フローでは、個人端末２から送信された操作履歴情報に基づいて、個人６の健康を管理する。
【００６８】
ステップＳ１１では、操作履歴蓄積部２５ｄによって、個人端末２が個人６に操作されたかどうかが判断される。個人端末２が操作されない場合には（ステップＳ１１：ＮＯ）、ステップＳ１３へ進む。一方、個人端末２が操作された場合には（ステップＳ１１：ＹＥＳ）、ステップＳ１２へ進む。
【００６９】
ステップＳ１２では、操作履歴蓄積部２５ｄによって、個人端末２が操作された履歴を操作履歴情報として蓄積する。
【００７０】
ステップＳ１３では、操作履歴蓄積部２５ｄによって、送信時間を経過したかどうかが判断される。ここでは、ステップＳ１２で操作履歴情報を蓄積してから経過した時間に基づいて判断してもよいし、以前に操作履歴情報を送信してから経過した時間に基づいて判断してもよい。また、予め設定された時刻になれば、送信時間を経過したと判断してもよい。つまり、個人端末２が操作されたかどうかに係らず、定期的に操作履歴をサーバ４に報告することが望ましい。その結果、送信時間を経過した場合には（ステップＳ１３：ＹＥＳ）、ステップＳ１４へ進む。一方、送信時間を経過していない場合には（ステップＳ１３：ＮＯ）、ステップＳ１１へ戻る。
【００７１】
ステップＳ１４では、個人端末２から操作履歴情報をサーバ４に送信する。
【００７２】
ステップＳ１５では、観察指示部４３ａによって、個人端末２を操作してから経過した時間（経過時間）が予め設定された規定時間を超えたかどうかが判断される。その結果、経過時間が規定時間を超えた場合には（ステップＳ１５：ＹＥＳ）、ステップＳ１６へ進む。一方、経過時間が規定時間を超えていない場合には（ステップＳ１５：ＮＯ）、処理を終了する。
【００７３】
ステップＳ１６では、観察指示部４３ａによって、個人６の生体状態が変化したと判断され、処理を終了する。なお、個人６の生体状態が変化した場合には、訪問員７に訪問を指示したり、ネットワークを介して医療機関に連絡したりしてもよい。
【００７４】
上述したように、本実施の形態では、送信時間に応じて自動的に操作履歴情報を送信することで、個人６がどの程度個人端末２を操作しているかを、個人６の判断に関わらず把握することができ、個人６に煩わしさを感じさせずに処理することができる。
【００７５】
また、操作履歴を基にして、個人６の体調の変化を推測することができる。つまり、長時間に亘って個人端末２が操作されていない場合、操作不可能な状況に陥っており、救護を必要としているのではないかと判断することができる。
【００７６】
（第２実施形態）
次に、本発明の第２実施形態に係る健康管理システムについて、図面を参照して説明する。
【００７７】
図８は、本発明の第２実施形態に係る健康管理システムにおける訪問要求フローを示すフロー図である。
【００７８】
第２実施形態では、個人端末２および訪問員端末３を複数備える構成とされている。つまり、ネットワーク５には、複数の個人端末２および訪問員端末３が接続されている。なお、第２実施形態は、図１ないし図５に示す第１実施形態とほぼ同様の構成とされているので、説明を省略する。
【００７９】
図に示す訪問要求フローでは、個人６からの訪問の要求を訪問員７に指示することで個人６の健康を管理する。
【００８０】
ステップＳ２１では、サーバ４は、個人位置情報および訪問員位置情報を受信する。なお、個人位置情報および訪問員位置情報は、それぞれ異なるタイミングに送信されても構わない。
【００８１】
ステップＳ２２では、サーバ４によって、訪問要求通知を受信したかどうかが判断される。訪問要求通知を受信していない場合には（ステップＳ２２：ＮＯ）、訪問要求通知を受信するまで待機する。一方、訪問要求通知を受信した場合には（ステップＳ２２：ＹＥＳ）、ステップＳ２３へ進む。
【００８２】
ステップＳ２３では、訪問指示部４３ｃによって、個人端末２に最も近い位置に存在する訪問員端末３に対して、訪問指示通知を送信し、処理を終了する。つまり、訪問要求通知を送信した個人端末２に対して、複数の訪問員端末３の位置を比較し、最も距離が近い訪問員端末３を選択する。
【００８３】
上述したように、本実施の形態では、複数のユーザの健康状態を把握できるシステムとすることができる。また、体調の急変といった緊急の事態において、個人６に近い位置にいる訪問員７を選択することで、個人６の要求に素早く対応することができる。
【００８４】
（第３実施形態）
次に、本発明の第３実施形態に係る健康管理システムについて、図面を参照して説明する。
【００８５】
図９は、本発明の第３実施形態に係る健康管理システムの概略構成図である。
【００８６】
第３実施形態では、個人６が操作する個人端末２と、個人端末２がネットワーク５を介して接続されたサーバ４とを含む構成とされており、訪問員端末３は、個人端末２と同一の端末で構成されている。つまり、普段、個人６が所持している際は、個人端末２として動作させ、訪問員７が個人６を訪問した際に、訪問員端末３として動作させてサーバ４に報告する。
【００８７】
図１０は、本発明の第３実施形態における個人端末および訪問員端末の構成図である。なお、第１実施形態および第２実施形態と機能が実質的に等しい構成要素については、同一の符号を付して説明を省略する。
【００８８】
個人端末２は、第１実施形態と同様に、表示部２１、入力部２２、通信部２３、記憶領域２４、およびＣＰＵ２５を備えている。ＣＰＵ２５は、生体情報取得部２５ａ、ゲーム実施部２５ｂ、ゲーム結果取得部２５ｃ、操作履歴蓄積部２５ｄ、ユーザ識別部２５ｇ、および客観情報取得部３５ａを予め組み込まれたプログラムとして記憶しており、記憶したプログラムを実行することにより、処理を実行する。
【００８９】
ユーザ識別部２５ｇは、操作するユーザが個人６または訪問員７のいずれであるかを識別し、操作するユーザが訪問員７であると識別した場合、個人端末２を訪問員端末３として動作させる。具体的には、それぞれのユーザに対し予め識別番号等を設定しておき、個人端末２を操作する際に、識別番号を入力するように要求する。ユーザ識別部２５ｇは、入力された識別番号に応じて、個人端末２または訪問員端末３のいずれとして動作させるかを決定する。
【００９０】
第３実施形態は、操作するユーザに応じて、第１実施形態における個人端末２または訪問員端末３のいずれかとして動作する。なお、健康管理システム１の処理フローは、図６および図７に示す第１実施形態と同様であるので、説明を省略する。
【００９１】
上述したように、本実施形態では、個人端末２を訪問員端末３として用いることができるので、訪問員７は、訪問員端末３を持ち歩く必要が無くなる。そのため、個人端末２を個人６の家に固定するなど、様々な形態を選択することができる。
【００９２】
本発明の実施の形態に係る健康管理システム１の健康管理方法は、個人６が操作する個人端末２と、個人６を訪問する訪問員７が操作する訪問員端末３と、個人端末２および訪問員端末３がネットワーク５を介して接続されたサーバ４とを含む健康管理システム１の健康管理方法であって、個人端末２に、個人６の入力に基づいて、個人６の生体状態を示す生体情報を取得させる生体情報取得ステップと、個人６に操作させるゲームを実施させるゲーム実施ステップと、ゲーム実施ステップのゲーム結果に基づくゲーム結果情報を取得させるゲーム結果取得ステップとを実行させ、サーバ４に、個人端末２から送信された生体情報およびゲーム結果情報に基づいて、個人６の観察項目を訪問員７に指示させる観察指示ステップを実行させ、訪問員端末３に、訪問員７の入力に基づいて、訪問員７によって観察された個人６の客観状態を示す客観情報を取得させる客観情報取得ステップを実行させる。
【００９３】
また、本発明は、健康管理方法を実現するためにコンピュータにより実行されるプログラムを含む。コンピュータは、例えば、個人端末２のＣＰＵ２５、訪問員端末３のＣＰＵ３５、およびサーバ４のＣＰＵ４３であり、プログラムを実行し得るデバイスであれば、如何なるものであっても良い。
【００９４】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００９５】
１  健康管理システム
２  個人端末
３  訪問員端末
４  サーバ
５  ネットワーク
６  個人
７  訪問員
２５ａ  生体情報取得部
２５ｂ  ゲーム実施部
２５ｃ  ゲーム結果取得部
２５ｄ  操作履歴蓄積部
２５ｅ  個人位置取得部
２５ｆ  訪問要求受付部
２５ｇ  ユーザ識別部
３５ａ  客観情報取得部
３５ｂ  訪問位置取得部
４３ａ  観察指示部
４３ｂ  情報記憶部
４３ｃ  訪問指示部
【図１】
2015172820.tif 000003
【図２】
2015172820.tif 000004
【図３】
2015172820.tif 000005
【図４】
2015172820.tif 000006
【図５】
2015172820.tif 000007
【図６】
2015172820.tif 000008
【図７】
2015172820.tif 000009
【図８】
2015172820.tif 000010
【図９】
2015172820.tif 000011
【図１０】
2015172820.tif 000012